(57)【要約】【課題】猛烈な雨にも高い水密性を有するサッシを提供する。【解決手段】本発明に係るサッシ１は、下枠３と、水切り２１とを備え、下枠３は中空部１９を有し、中空部１９は水抜き孔部２９を有し、水切り２１は、下枠３の室外側に取り付けてあり、下枠３とで中空部２２を形成していると共に排水弁４９が設けてある水抜き孔部４３を有し、水切り２１の水抜き孔部４３は下枠３の水抜き孔部２９よりも下方に位置し且つ下枠３の中空部１９と水切り２１の中空部２２が下枠３の水抜き孔部２９で連通している。【選択図】図１
2016148207.tif 000002
【特許請求の範囲】
【請求項１】
下枠と、水切りとを備え、下枠は中空部を有し、中空部は水抜き孔部を有し、水切りは、下枠の室外側に取り付けてあり、下枠とで中空部を形成していると共に排水弁が設けてある水抜き孔部を有し、水切りの水抜き孔部は下枠の水抜き孔部よりも下方に位置し且つ下枠の中空部と水切りの中空部が下枠の水抜き孔部で連通していることを特徴とするサッシ。
【発明の詳細な説明】
【技術分野】
【０００１】
本発明は、サッシに関する。  
【背景技術】
【０００２】
非特許文献１には、中空部を有する下枠において、中空部の室外側下部に水抜き孔を設けて、下枠の中空部に吹き込んだ水を室外へ排水することが開示されている。  
【先行技術文献】
【非特許文献】
【０００３】
【非特許文献１】第２８頁「三協アルミ  住宅建材  ウインドウ  総合カタログ  マディオＪ・Ｍ  引違い窓・装飾窓・アクセントシリーズ・出窓・勝手口・天窓  [在来／２×４]  ２０１４→２０１５」カタログＮｏ．ＳＴＪ０９５５Ｂ  三協立山株式会社  三協アルミ社  ２０１４年９月発行
【発明の概要】
【発明が解決しようとする課題】
【０００４】
一方、台風や暴風雨等の猛烈な雨に対しても高い水密性を有するサッシが求められていた。  
【０００５】
そこで、本発明は、猛烈な雨にも高い水密性を有するサッシの提供を目的とする。  
【課題を解決するための手段】
【０００６】
請求項１に記載の発明は、下枠と、水切りとを備え、下枠は中空部を有し、中空部は水抜き孔部を有し、水切りは、下枠の室外側に取り付けてあり、下枠とで中空部を形成していると共に排水弁が設けてある水抜き孔部を有し、水切りの水抜き孔部は下枠の水抜き孔部よりも下方に位置し且つ下枠の中空部と水切りの中空部が下枠の水抜き孔部で連通していることを特徴とするサッシである。  
【発明の効果】
【０００７】
請求項１に記載の発明によれば、サッシ下枠の中空部と水切りの中空部とが各々水溜めとなり、水溜め容量を大きくできると共に２つの水溜めが連通して水頭差が大きくなることで排水を促し、サッシの水密性を高めることができる。また、格別な加工をすることなく水切りを取り付けるだけで水密性を高めることができる。  
水切りは、下枠とで中空部を形成するから、ソリッド形材を使用でき、下枠の水抜き孔部に対応する部分に孔加工が不要である。  
【図面の簡単な説明】
【０００８】
【図１】本発明の第１実施の形態にかかるサッシであって、図３に示す下枠及び水切りを抜き出して示す縦断面図である。
【図２】図１に示す水抜きキャップの図であり、（ａ）は斜視図、（ｂ）は正面図、（ｃ）は平面図、（ｄ）は側面図、（ｅ）は（ｂ）に示すＡ−Ａ断面図である。
【図３】本発明の第１実施の形態にかかるサッシの縦断面図である。
【図４】本発明の第１実施の形態にかかるサッシの横断面図である。
【図５】本発明の第２実施の形態にかかるサッシであって、図６に示す下枠及び水切りを抜き出して示す縦断面図である。
【図６】本発明の第２実施の形態にかかるサッシの縦断面図である。
【図７】本発明の第２実施の形態にかかるサッシの横断面図である。
【図８】本発明の第３実施の形態にかかるサッシであって、下枠及び水切りを抜き出して示す縦断面図である。
【図９】本発明の第４実施の形態にかかるサッシであって、下枠及び水切りを抜き出して示す図であり、（ａ）は縦断面図、（ｂ）は室外側から見て右側端部を示す正面図である。
【発明を実施するための形態】
【０００９】
以下に、添付図面を参照して本発明の実施の形態を説明するが、まず、図１〜図４を参照して本発明の第１実施の形態を説明する。  
図３及び図４に示すように、本発明の第１実施の形態にかかるサッシ１は、引き違いの断熱サッシであり、下枠３と、上枠５と、左右の縦枠７とで枠組みした枠９内に外障子１１と内障子１３とが設けてある。  
図１及び図３に示すように、下枠３には、外障子１１の走行を案内する外レール１５と、内障子１３の走行を案内する内レール１７とが設けてある。  
【００１０】
下枠３は、外レール１５の下側に中空部１９を有し、中空部１９の上壁が上面３ａとしてあり、中空部１９の室外側壁が室外側面３ｂとしてある。下枠３の室外側面３ｂには、水切り２１が取り付けてある。  
図１に示すように、下枠３の上面３ａには、外レール１５と内レール１７との間に中空部１９内に連通する排水孔２３が形成してある。排水孔２３は、下枠３の上面３ａの左右両端部に各々形成してある。下枠上面３ａの排水孔２３には、水抜きキャップ２５が取り付けてある。尚、下枠上面３ａで外レール１５と内レール１７との間にはカバー材２７が設けてある。  
【００１１】
下枠３の室外側面３ｂには、その下部に中空部１９内の水を抜く水抜き孔部２９が設けてある。水抜き孔部２９は、室外側面３ｂに形成した水抜き孔２９ａと水抜き孔２９ａに装着した水抜きキャップ２９ｂとで構成してある。水抜きキャップ２９ｂには、室外側に回動することで水抜き孔２９ａを開く排水弁３１が設けてある。排水弁３１は逆止弁である。  
下枠３の室外側面３ｂにおいて、水抜き孔部２９の上側と下側とには、各々室外側に突設する上被係合部３３ａと下被係合部３３ｂとが設けてある。上被係合部３３ａは縦断面が上向きに突設する略Ｌ字形状を成している。下被係合部３３ｂは、上被係合部３３ａよりも室外側に突設してあり、縦断面が下向きに突設する略Ｌ字形状を成している。  
【００１２】
水切り２１はソリッド形材であり、断面略コ字形状に形成してあり、室内側上部を開口部２１ａとしている。水切り２１は、下枠３と共同して内部に中空部２２を形成している。
開口部２１ａには、上部に下枠３の上被係合部３３ａに上から係合する上係合部３５ａが設けてあり、上係合部３５ａには下向きの係合突起３７が突設してある。開口部２１ａの下部には下枠３の下被係合部３３ｂに下から係合する下係合部３５ｂが設けてあり、下係合部３５ｂには室外側を上にした傾斜面３９が形成してある。  
水切り２１の下壁４１には水抜き孔部４３が設けてある。水抜き孔部４３は水切り２１の左右端部に各々設けてある。  
水抜き孔部４３は下壁４１に形成した水抜き孔４４と、水抜き孔４４に装着した水抜きキャップ４５とで構成してある。  
【００１３】
図２に示すように、水抜きキャップ４５は、ボックス状のケース４７と、ケース４７内に収納した排水弁４９とを有し、ケース４７には下面開口部４７ａと側面開口部４７ｂとが設けてある。側面開口部４７ｂは、図１に示すように、水切り２１の開口部２１ａと同じ向き（室内側）に開口しており、側面開口部４７ｂの上端部に排水弁４９の可動軸４９ａが設けてある。排水弁４９はケース４７の内側に回動して側面開口部４７ｂを開く逆止弁である。尚、図４に示すように、水切り２１の左右端には端部キャップ５０が取り付けてある。  
【００１４】
ここで、下枠３への水切り２１の取り付けを説明する。この実施の形態では、水切り２１が付いていない既設サッシの下枠３に後づけで水切り２１を取り付けている。水切り２１は、下枠３の室外側面３ｂに形成してある上被係合部３３ａに水切り２１の上係合部３５ａを上から係合した後、下枠３の下被係合部３３ｂの下端に下係合部３５ｂの傾斜面３９を当てて水切り２１を室内側へ押し込む。これにより、下係合部３５ｂが弾性変形しつつ下係合部３５ｂの傾斜面３９が下被係合部３３ｂの下端を越えたところで、弾性復帰して、下係合部３５ｂが下被係合部３３ｂに係合して、水切り２１を下枠３に装着する。  
【００１５】
次に、第１実施の形態にかかるサッシ１の作用及び効果について説明する。  
下枠３の上面３ａで外レール１５と内レール１７間に入り込んだ水は、下枠上面３ａの排水孔２３から下枠３の中空部１９内に落下する。下枠３に設けてある水抜き孔部２９では、水抜きキャップ２９ｂの排水弁３１が閉じており、中空部１９内では下枠上面３ａから落下した水が次第に溜まり、少し溜まったところで、排水弁３１を水圧で開き、中空部１９内の水は水切り２１の中空部２２に入り込む。  
水切り２１の中空部２２に入り込んだ水は、中空部２２内に溜り、少し溜まったところで水抜きキャップ４５の排水弁４９を水圧で開き、水抜き孔４４から水切り２１の下方に排水する。  
【００１６】
一方、猛烈な雨により、沢山の水が下枠上面３ａに溜まった場合には、下枠上面３ａの水は下枠３の中空部１９内に落下して溜り順次水抜き孔部２９から排水して、水切り２１の中空部２２に溜りつつ、水抜き孔部４３から排水されるが、雨水の量が多すぎて下枠３の水抜き孔部２９及び水切り２１の水抜き孔部４３からの排水が間に合わない場合には、下枠３の中空部１９及び水切り２１の中空部２２に水が溜まる。  
このように、下枠３に水切り２１を設けることで、２つの中空部１９、２２で水を溜めることができるので、高い水密性を得ることができる。  
更に、２つの中空部１９及び２２に水が溜まると、下枠上面３ａの排水孔２３から水切りの水抜き孔部４３までの水頭差Ｈ１を、下枠３のみの場合の水頭差Ｈ０よりも大きくできるので、高い水圧で排水できるから下枠３のみの場合よりも排水を促進できる。  
しかも、下枠３や水切り２１には格別な加工をすることなく、水切り２１を下枠３に取り付けるだけでサッシの水密性を高めることができる。  
【００１７】
水切り２１は、下枠３の室外側面３ｂに設けた上被係合部３３ａに上係合部３５ａを上から係合し、下係合部３５ｂを下被係合部３３ｂに押し込むことで、下枠３に簡単に取り付けできる。  
下枠３に設けた中空部１９と水切り２１の中空部２２とで、２つの中空部１９、２１を設けると共に水抜き孔部２９、４３には排水弁３１、４９を設けているので、室外側から下枠上面３ａに虫や砂が入るのを防止できる。  
図３に示すように、水切り２１の下には外壁がないので、水切り２１の取り外しが容易にでき、メンテナンスがし易い。  
【００１８】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。  
【００１９】
図５〜図７に第２実施の形態にかかるサッシ１を示す。図６及び図７に示すように、この第２実施の形態では、サッシ１はシャッター付きサッシであり、サッシ上枠５の上にシャッター巻取軸５１が設けてあり、サッシ縦枠７、７にはシャッター縦枠５３が取付けてあり、下枠３にはシャッター下枠を兼用した水切り２１が取付けてある。  
即ち、図５に示すように、第２実施の形態では、第１実施の形態にかかる水切り２１に対して、中空部２２の室外側壁２２ｃから室外側へ突出する建材案内部５７を一体に形成してあり、この建材案内部５７は第２実施の形態ではシャッター５４の下端を受けるシャッター受け部としている。尚、この第２実施の形態では、下枠３の上面３ａに形成した排水孔２３は、第１実施の形態の排水孔よりも大きくしてあり且つ排水キャップ２５も第１実施の形態のものよりも大型のものを用いている。  
この第２実施の形態によれば、第１実施の形態と同様の作用効果を奏すると共に、水切り２１はシャッター受け部を兼用することができる。  
【００２０】
図８に第３実施の形態にかかるサッシ１を示す。この第３実施の形態にかかるサッシ１は、第２実施の形態にかかるシャッター付きサッシに対して、下枠３には中空部１９の下に第２の中空部６１が設けてあり、第２の中空部６１の室外側壁６１ａには、連結具取付部６２が形成してあり、連結具取付部６２には、縦断面が略Ｌ字形状を成す連結具６３が取り付けてある。連結具取付部６２は上部に連結具６３の上端を嵌合する嵌合溝部６２ａが設けてあり、下部に連結具６３の下面を受ける受け部６２ｂが設けてある。連結具６３はアングル材である。  
水切り２１の室内側開口部２１ａにおいて、上係合部３５ａは室外側に突設する断面略Ｌ字形状を成し、上係合部３５ｂに係合する上被係合部３３ａは、網戸レール６４の下方で室内側に突設する断面略Ｌ字形状を成している。水切り２１の室内側開口部２１ａの下端部には、室内側に突設する下係合部３５ｂが設けてあり、下係合部３５ｂを弾性変形させて連結具６３の下被係合部３３ｂに載置することで弾発係合してある。尚、下係合部３５ｂと下被係合部３３ｂとは弾発係合した後にねじで固定しても良い。下係合部３５ｂと下被係合部３３ｂとは弾発係合しているから、水切り２１の取り付けは、第２実施の形態と同様に上係合部３５ａを上被係合部３３ａに係合した後、下係合部３５ｂを下被係合部３３ｂに押し込むことで下枠３に取り付けできる。  
この第３実施の形態によれば、第２実施の形態と同様の作用効果を奏することができると共に水切り２１の下係合部３５ｂは下被係合部３３ｂに載置することで弾発係合しているため、載置面でシャッター等の荷重を受けることができるから、荷重に対して強固に取り付けできる。更に、水切り２１は下枠３に取り付けた連結具６３に固定しているので、建材案内部５７を備える水切り２１を下枠３に強固に固定できる。また、下枠３には第２の中空部６１を設けてあるから、下枠３の強度を高めることができる。  
【００２１】
図９に第４実施の形態にかかるサッシを示す。この第４実施の形態では、第１実施の形態に対して、水切り２１の左右両端に設けた各端部カバー５９に水抜きキャップ４５を一体に設けてある。水抜きキャップ４５には、下面開口部４７ａ（図２参照）がなくこれに替えて側面開口部４７ｂに対向する室外側面に開口部４７ｃが設けてあり、水切り２１には室外側面に水抜き孔４４を形成してある。即ち、この第４実施の形態では、水抜き孔部４３は端部カバー５９に設けた水抜きキャップ４５と、水切り２１の室外側面に形成した水抜き孔４４とで構成してある。  
この第４実施の形態によれば、第１実施の形態と同様の作用効果を奏すると共に端部カバー５９に水抜きキャップ４５を一体に設けてあるから、別体に設ける場合に比較して部品点数を少なくできる。  
【００２２】
本発明は、上述した実施の形態に限らず、本発明の要旨を逸脱しない範囲で種々変形可能である。  
本発明にかかるサッシ１は、内倒し窓や上げ下げ窓等であっても良く、窓種は制限されない。  
水切り２１は、工場で下枠３に取り付けても良いし、建築現場で下枠３に取り付けても良い。  
下枠３に設けた水抜きキャップ２９ｂの排水弁３１は逆止弁に限らず、いずれの方向にも開く開閉弁であっても良い。  
第２実施の形態及び第３実施の形態において、水切り２１に一体に設けた建材案内部５７は、シャッター５４を受けるシャッター受けに限らず、面格子や雨戸を受ける受け部としても良い。  
下枠３の中空部１９及び水切り２１の中空部２２の大きさ（容積）に制限はなく、これらの中空部１９、２２の容積を大きくしたり、上下寸法を大きくして水頭差Ｈ１大きくすることにより、更にサッシの水密性を向上するようにしても良い。  
第４実施の形態において、端部カバー５９の側面に水抜き孔部４３を設けても良い。この場合には、水切り２１に水抜き孔４４を形成しないで済む。  
第１〜第４実施の形態において、下枠３の水抜き孔部２９に設けた排水弁３１はなくても良い。  
【符号の説明】
【００２３】
１    サッシ
３    下枠
１９  中空部（下枠の中空部）
２１  水切り
２２  中空部（水切りの中空部）
２９  水抜き孔部
４３  水抜き孔部
４９  排水弁
【図１】
2016148207.tif 000003
【図２】
2016148207.tif 000004
【図３】
2016148207.tif 000005
【図４】
2016148207.tif 000006
【図５】
2016148207.tif 000007
【図６】
2016148207.tif 000008
【図７】
2016148207.tif 000009
【図８】
2016148207.tif 000010
【図９】
2016148207.tif 000011